(57)【要約】【課題】      スリ−ブ状軸受を駆動軸との共回りやリ−ル本体からの離脱等の不具合を簡単な構造で確実に防止した魚釣用リ−ルの軸受構造を提供することである。【解決手段】  筐体１に外側から支持凹部１ｂが形成され、筐体１の内壁１ｃに透孔１ｄが形成されると共に軸線方向に複数の溝１ｅが形成されている。  蓋体２の外側から支持凹部２ｂが形成され、蓋体２の内壁２ｃに透孔２ｄが形成されると共に軸線方向に複数の溝２ｅが形成されている。  支持凹部１ｂと支持凹部２ｂには夫々外側からスリ−ブ状軸受３の円形外周部３ａが嵌合されて支持され、スリ−ブ状軸受３は金属や合成樹脂で形成されて円形外周部３ａの一側部３ｂに、複数本の回り止め係止部３ｃと抜け止め係止部３ｄがそれぞれ一体に形成されている。【選択図】        図２
2007312719.tif 000002
【特許請求の範囲】
【請求項１】
リ−ル本体の支持凹部に嵌合支持されたスリ−ブ状軸受で、ハンドルの回転操作で連動回転する駆動軸を回転自在に支持した魚釣用リ−ルの軸受構造において、前記スリ−ブ状軸受の一側部に、回り止め係止部と抜け止め係止部のそれぞれを一体形成し、前記リ−ル本体の支持凹部に前記スリ−ブ状軸受の円形外周部を嵌合支持すると共に、前記回り止め係止部と抜け止め係止部で前記スリ−ブ状軸受を、前記リ−ル本体に回り止め及び抜け止め可能としたことを特徴とする魚釣用リ−ルの軸受構造。
【発明の詳細な説明】
【技術分野】
【０００１】
本発明は、ハンドルの回転操作で連動回転する駆動軸をリ−ル本体に回転自在に支持する魚釣用リ−ルの軸受構造に関する。
【背景技術】
【０００２】
従来駆動軸をリ−ル本体に回転自在に支持する軸受は、使用する負荷状態、要求される回転性能及び耐久性、コスト等が考慮され、ボ−ルベアリング以外にスリ−ブ状軸受（合成樹脂製及び金属製）が多用化されている。
このスリ−ブ状軸受をリ−ル本体の凹状支持部に回転しないように回り止め嵌合するようにしたものが特許文献１で知られている。
特許文献１で提案されている構造は、スリ−ブ状軸受の外周一側の周方向に複数形成した凸部を、リ−ル本体の凹状支持部の内周に形成した凹部に係合させて、スリ−ブ状軸受をリ−ル本体の凹状支持部に回り止め嵌合するようにしている。
この構造では、軸受に巻き取り操作中に不規則なこねるような負荷が加わると、スラスト方向の力が作用して軸受がリ−ル本体の凹状支持部内の凹部から離脱して駆動軸と共回りしてしまうことがある。
又、製造組み立て時や運搬時に振動、落下等の外力が加わった場合に、軸受がリ−ル本体の凹状支持部内から離脱してしまうことがあり、製造取り扱いの面で不便である。
更に、軸受外周の周方向に複数の凸部を形成する構成のため、リ−ル本体の凹状支持部内周面に密に嵌合することができず、充分な嵌合精度を維持した状態で軸受を保持できない。
【特許文献１】実開昭５９−１６１９６９号公報
【発明の開示】
【発明が解決しようとする課題】
【０００３】
解決しようとする問題点は、軸受に巻き取り操作中に不規則なこねるような負荷が加わってスラスト方向の力が作用したり、製造組み立て時や運搬時に振動、落下等の外力が加わった場合に、軸受がリ−ル本体の凹状支持部内から離脱してしまうことがある。
軸受外周の周方向に複数の凸部を形成する構成のため、リ−ル本体の凹状支持部内周面に密に嵌合することができず、充分な嵌合精度を維持できなかったりする課題が残されている。
【０００４】
本発明の目的は前記欠点に鑑み、スリ−ブ状軸受を駆動軸との共回りやリ−ル本体からの離脱等の不具合を簡素な構造で確実に防止した魚釣用リ−ルの軸受構造を提供することである。
【課題を解決するための手段】
【０００５】
本発明の請求項１は、リ−ル本体の支持凹部に嵌合支持されたスリ−ブ状軸受で、ハンドルの回転操作で連動回転する駆動軸を回転自在に支持した魚釣用リ−ルの軸受構造において、前記スリ−ブ状軸受の一側部に、回り止め係止部と抜け止め係止部のそれぞれを一体形成し、前記リ−ル本体の支持凹部に前記スリ−ブ状軸受の円形外周部を嵌合支持すると共に、前記回り止め係止部と抜け止め係止部で前記スリ−ブ状軸受を、前記リ−ル本体に回り止め及び抜け止め可能としたことを要旨とするものである。
【発明の効果】
【０００６】
本発明の請求項１によれば、リ−ル本体にスリ−ブ状軸受を（１）支持凹部に嵌合保持する機能、（２）溝や透孔に回り止めする機能、（３）壁面に当接して抜け止めする機能、の３つの機能をスリ−ブ状軸受の円形外周部の一側部に、複数本の回り止め係止部と抜け止め係止部で持たせることができるため、スリ−ブ状軸受の巻き取り操作中における駆動軸との共回りや製造段階でのリ−ル本体からの離脱等の不具合を簡素な構造で確実に防止できる。
【発明を実施するための最良の形態】
【０００７】
リ−ル本体Ａが箱形の筐体１と蓋体２で構成されて筐体１に蓋体２がネジ１０でネジ止めされている。
筐体１の前後の中程の外側に筒部１ａが突出形成されて筒部１ａ内に外側から支持凹部１ｂが形成されている。
筐体１の内壁１ｃには支持凹部１ｂの外径より小径の透孔１ｄが形成されると共に軸線方向に複数の溝１ｅが形成されている。
筐体１の筒部１ａと対向する蓋体２の外側に筒部２ａが突出形成されて筒部２ａ内に外側から支持凹部２ｂが形成されている。
蓋体２の内壁２ｃには支持凹部２ｂの外径より小径の透孔２ｄが形成されると共に軸線方向に複数の溝２ｅが形成されている。
支持凹部１ｂと支持凹部２ｂには夫々外側からスリ−ブ状軸受３の円形外周部３ａが嵌合されて支持されている。
スリ−ブ状軸受３は金属や合成樹脂で形成されて円形外周部３ａの一側部３ｂに、複数本の板状の径方向に弾性変形可能な回り止め係止部３ｃと鈎状の抜け止め係止部３ｄがそれぞれ一体に形成されている。
スリ−ブ状軸受３の円形外周部３ａの中心には軸孔３ｅが形成されている。
回り止め係止部３ｃは夫々溝１ｅと溝２ｅに挿入され、抜け止め係止部３ｄが内壁１ｃと内壁２ｃの内面に弾性変形後に係止されて抜け止めされる。
【実施例１】
【０００８】
以下、図示の実施例によって本発明を説明すると、図１から図７は第１実施例で魚釣用リ−ルを魚釣用スピニングリ−ルで述べれば、図１は魚釣用スピニングリ−ルの要部断面平面図、図２は軸受構造の要部断面平面図、図３はスリ−ブ状軸受の拡大斜視図、図４は図２の筐体側の拡大要部断面平面図、図５は図４のＦ５−Ｆ５断面線の断面背面図、図６は図２の蓋体側の拡大要部断面平面図、図７は図６のＦ７−Ｆ７断面線の断面背面図である。
【０００９】
魚釣用スピニングリ−ルは、リ−ル本体Ａが箱形の筐体１と蓋体２で構成されて筐体１に蓋体２がネジ１０でネジ止めされている。
筐体１の前後の中程の外側に筒部１ａが突出形成されて筒部１ａ内に外側から支持凹部１ｂが形成されている。
筐体１の内壁１ｃには支持凹部１ｂの外径より小径の透孔１ｄが形成されると共に軸線方向に複数の溝１ｅが形成されている。
筐体１の筒部１ａと対向する蓋体２の外側に筒部２ａが突出形成されて筒部２ａ内に外側から支持凹部２ｂが形成されている。
蓋体２の内壁２ｃには支持凹部２ｂの外径より小径の透孔２ｄが形成されると共に軸線方向に複数の溝２ｅが形成されている。
支持凹部１ｂと支持凹部２ｂには夫々外側からスリ−ブ状軸受３の円形外周部３ａが嵌合されて支持されている。
【００１０】
スリ−ブ状軸受３は金属や合成樹脂で形成されて円形外周部３ａの一側部３ｂに、複数本の板状の径方向に弾性変形可能な回り止め係止部３ｃと鈎状の抜け止め係止部３ｄがそれぞれ一体に形成されている。
スリ−ブ状軸受３の円形外周部３ａの中心には軸孔３ｅが形成されている。
回り止め係止部３ｃは夫々溝１ｅと溝２ｅに挿入され、抜け止め係止部３ｄが内壁１ｃと内壁２ｃの内面に弾性変形後に係止されて抜け止めされる。
スリ−ブ状軸受３の軸孔３ｅには駆動歯車４の駆動軸４ａが嵌合されている。
【００１１】
駆動軸４ａの筒部内にはハンドル軸１１が左右交換自在に回り止め嵌合されて一端にビス１２が螺合されて抜け止めされている。
ハンドル軸１１の他端にはハンドル５が連結固定されている。
筐体１の前部１ｆ内に軸受１３が設けられてカラ−１４を介して回転軸筒６の外周が回転自在に支持され、軸受１３の前方に爪車１５が嵌合されている。
更に爪車１５の前方にロ−タ７の筒部７ａを回り止め嵌合してナット１６で固定されている。
ロ−タ７は回転軸筒６に設けられたピニオン６ａと噛合する駆動歯車４を介してハンドル５の回転に連動して回転されるように支持されている。
前記回転軸筒６内に嵌合されて前方に突出されたスプ−ル軸１７の先端部にスプ−ル８が支持され、スプ−ル８は図示しないオシレ−ト機構で前後に往復動される。
【００１２】
前記のように魚釣用リ−ルの軸受構造が構成されると、リ−ル本体Ａにスリ−ブ状軸受３を（１）支持凹部１ｂ、２ｂに嵌合保持する機能、（２）溝１ｅに回り止めする機能、（３）壁面１ｃ、２ｃに当接して抜け止めする機能、の３つの機能をスリ−ブ状軸受３の円形外周部３ａの一側部３ｂに、複数本の回り止め係止部３ｃと抜け止め係止部３ｄで持たせることができるため、スリ−ブ状軸受３の巻き取り操作中における駆動軸４ａとの共回りや製造段階でのリ−ル本体Ａからの離脱等の不具合を簡素な構造で確実に防止できる。
【実施例２】
【００１３】
図８から図１１は第２実施例で、図８は魚釣用スピニングリ−ルの軸受構造の要部断面平面図、図９はスリ−ブ状軸受の拡大斜視図、図１０は図８の蓋体側の拡大要部断面平面図、図１１は図１０のＦ１１−Ｆ１１断面線の断面背面図である。
【００１４】
第２実施例では、筐体１の内壁１ｃの支持凹部１ｂの外径より中心方向に外側から内側に向けて複数の透孔１ｇが穿設されている。
蓋体２の内壁２ｃの支持凹部２ｂの外径より中心方向に外側から内側に向けて複数の透孔２ｆが穿設されている。
支持凹部１ｂと支持凹部２ｂには夫々外側からスリ−ブ状軸受３の円形外周部３ａが嵌合されて支持されている。
スリ−ブ状軸受３は金属や合成樹脂で形成されて円形外周部３ａの一側部３ｂに、複数本の丸棒からなる回り止め係止部３ｆが一体的に形成されている。
他の構成は前記第１実施例と同様であるため、それらの説明は省略する。
【００１５】
支持凹部１ｂと支持凹部２ｂには夫々外側からスリ−ブ状軸受３の円形外周部３ａが嵌合されると複数本の丸棒からなる回り止め係止部３ｆは夫々複数の透孔１ｇ及び複数の透孔２ｆに挿入され、内壁１ｃ及び内壁２ｃから突出した複数本の丸棒からなる回り止め係止部３ｆの先端はカシメまたは溶融で抜け止め係止部３ｇが形成されて抜け止めされる。
【００１６】
前記のように魚釣用リ−ルの軸受構造が構成されると、リ−ル本体Ａにスリ−ブ状軸受３を（１）支持凹部１ｂ、２ｂに嵌合保持する機能、（２）透孔１ｇ、２ｆに回り止めする機能、（３）壁面１ｃ、２ｃに当接して抜け止めする機能、の３つの機能をスリ−ブ状軸受３の円形外周部３ａの一側部３ｂに、複数本の回り止め係止部３ｆと抜け止め係止部３ｇで持たせることができるため、スリ−ブ状軸受３の巻き取り操作中における駆動軸４ａとの共回りや製造段階でのリ−ル本体Ａからの離脱等の不具合を簡素な構造で確実に防止できる。
【実施例３】
【００１７】
図１２から図１５は第３実施例で、図１２は魚釣用スピニングリ−ルの軸受構造の要部断面平面図、図１３はスリ−ブ状軸受の斜視図と一部拡大斜視図、図１４は図１２の蓋体側の拡大要部断面平面図、図１５は図１４のＦ１５−Ｆ１５断面線の断面背面図である。
【００１８】
第３実施例では、筐体１の前後の中程の外側に筒部１ａが突出形成されて筒部１ａ内に内側から支持凹部１ｈが形成されている。
筐体１の筒部１ａの外側に向けて内壁１ｃには支持凹部１ｈの外径より中心側に軸線方向の複数の角形の透孔１ｉが形成されている。
筐体１の筒部１ａと対向する蓋体２の外側に筒部２ａが突出形成されて筒部２ａ内に内側から支持凹部２ｇが形成されている。
蓋体２の筒部２ａの外側に向けて内壁２ｃには支持凹部２ｇの外径より中心側に軸線方向の複数の角形の透孔２ｈが形成されている。
支持凹部１ｈと支持凹部２ｇには夫々内側からスリ−ブ状軸受３の円形外周部３ｈが嵌合されて支持されている。
スリ−ブ状軸受３は金属や合成樹脂で形成されて円形外周部３ｈの一側部３ｉに、複数本の板状の径方向に弾性変形可能な回り止め係止部３ｃと鈎状の抜け止め係止部３ｄがそれぞれ一体に形成されている。
スリ−ブ状軸受３の円形外周部３ｈの中心には軸孔３ｅが形成されている。
回り止め係止部３ｃは夫々角形の透孔１ｉと角形の透孔２ｈに挿入され、抜け止め係止部３ｄが内壁１ｃと内壁２ｃの外面に弾性変形後に係止されて抜け止めされる。
他の構成は前記第１実施例と同様であるため、それらの説明は省略する。
【００１９】
前記のように魚釣用リ−ルの軸受構造が構成されると、リ−ル本体Ａにスリ−ブ状軸受３を（１）支持凹部１ｈ、２ｇに嵌合保持する機能、（２）透孔１ｉ、２ｈに回り止めする機能、（３）壁面１ｃ、２ｃに当接して抜け止めする機能、の３つの機能をスリ−ブ状軸受３の円形外周部３ｈの一側部３ｉに、複数本の回り止め係止部３ｃと抜け止め係止部３ｄで持たせることができるため、スリ−ブ状軸受３の巻き取り操作中における駆動軸４ａとの共回りや製造段階でのリ−ル本体Ａからの離脱等の不具合を簡素な構造で確実に防止できる。
【産業上の利用可能性】
【００２０】
前記説明では、魚釣用リ−ルの軸受構造を魚釣用スピニングリ−ルで述べたが、他の形式のリ−ルに実施してもよい。
なお、本発明は、前述した実施形態に限定されることなく、その要旨を逸脱しない範囲で種々変形実施が可能である。
【図面の簡単な説明】
【００２１】
【図１】第１実施例で、魚釣用スピニングリ−ルの要部断面平面図である。
【図２】同軸受構造の要部断面平面図である。
【図３】同スリ−ブ状軸受の拡大斜視図である。
【図４】同図２の筐体側の拡大要部断面平面図である。
【図５】同図４のＦ５−Ｆ５断面線の主要部の断面背面図である。
【図６】同図２の蓋体側の拡大要部断面平面図である。
【図７】同図６のＦ７−Ｆ７断面線の主要部の断面背面図である。
【図８】第２実施例で、魚釣用スピニングリ−ルの軸受構造の要部断面平面図である。
【図９】同スリ−ブ状軸受の拡大斜視図である。
【図１０】同図８の蓋体側の拡大要部断面平面図である。
【図１１】同図１０のＦ１１−Ｆ１１断面線の主要部の断面背面図である。
【図１２】第３実施例で、魚釣用スピニングリ−ルの軸受構造の要部断面平面図である。
【図１３】同スリ−ブ状軸受の斜視図と一部拡大斜視図である。
【図１４】同図１２の蓋体側の拡大要部断面平面図である。
【図１５】同図１４のＦ１５−Ｆ１５断面線の主要部の断面背面図である。
【符号の説明】
【００２２】
Ａ  リ−ル本体
１ｂ、２ｂ、１ｇ、２ｇ  支持凹部
３  スリ−ブ状軸受
３ａ、３ｈ  円形外周部
３ｂ、３ｉ  一側部
３ｃ、３ｆ  回り止め係止部
３ｄ、３ｇ  抜け止め係止部
４ａ  駆動軸
５  ハンドル
【図１】
2007312719.tif 000003
【図２】
2007312719.tif 000004
【図３】
2007312719.tif 000005
【図４】
2007312719.tif 000006
【図５】
2007312719.tif 000007
【図６】
2007312719.tif 000008
【図７】
2007312719.tif 000009
【図８】
2007312719.tif 000010
【図９】
2007312719.tif 000011
【図１０】
2007312719.tif 000012
【図１１】
2007312719.tif 000013
【図１２】
2007312719.tif 000014
【図１３】
2007312719.tif 000015
【図１４】
2007312719.tif 000016
【図１５】
2007312719.tif 000017